(57)【要約】【課題】本考案は、軸方向に沿って移動できるヒンジ装置を提供する。【解決手段】本考案に係るヒンジ装置は、係合部を有する第一連結部材と、第二連結部材と、一端に固定部が設置される回動軸と、前記固定部の端部に固定される固定部材と、前記第二連結部材に固定されるスリーブと、を備え、前記固定部は前記第二連結部材に回動可能に取り付けられ、前記第一連結部材は軸方向に沿って移動可能に前記回動軸に連接され、前記スリーブに螺旋状のスライド溝が設置され、前記係合部は前記スライド溝にスライド可能に係合する。【選択図】図３
0003160083.tif 000002
【実用新案登録請求の範囲】
【請求項１】
係合部を有する第一連結部材と、第二連結部材と、一端に固定部が設置される回動軸と、前記固定部の端部に固定される固定部材と、前記第二連結部材に固定されるスリーブと、を備えてなるヒンジ装置であって、
前記固定部は前記第二連結部材に回動可能に取り付けられ、前記第一連結部材は軸方向に沿って移動可能に前記回動軸に連接され、前記スリーブに螺旋状のスライド溝が設置され、前記係合部は前記スライド溝にスライド可能に係合することを特徴とするヒンジ装置。
【請求項２】
前記第一連結部材は、固定板を備え、前記固定板の両側からそれぞれ第一連接板及び第二連接板が前記回動軸が位置する方向に向かって垂直的に延在され、前記固定板における前記第二連接板が位置する片側から干渉板が前記第一連接板から離れる方向へ水平的に延在され、前記干渉板の端部が、前記回動軸が位置する方向に向かって斜めに延在して干渉部を形成し、前記係合部は、前記干渉部の片側から突出されることを特徴とする請求項１に記載のヒンジ装置。
【請求項３】
前記第一連接板及び前記第二連接板には、それぞれ１つの貫通孔が開設され、前記回動軸は軸方向に沿って移動可能に前記第一連接板及び前記第二連接板の貫通孔を貫くことを特徴とする請求項２に記載のヒンジ装置。
【請求項４】
前記ヒンジ装置は、係合リング及び弾性部材をさらに備え、前記回動軸の前記固定部から離れている一端に係合溝が形成され、前記係合リングは、前記係合溝に係合され、前記弾性部材は、前記回動軸を被覆し、前記弾性部材の両端は、それぞれ前記係合リング及び前記第一連接板に当接することを特徴とする請求項３に記載のヒンジ装置。
【請求項５】
前記スリーブは、前記第一連結部材と前記第二連結部材との間で前記回動軸を被覆し、前記スリーブの一端には、２つの係合柱が対称的に形成され、前記第二連結部材には、第一係合口及び第二係合口が開設され、前記２つの係合柱は、前記第一係合口及び前記第二係合口に係合されることを特徴とする請求項１に記載のヒンジ装置。
【請求項６】
前記ヒンジ装置は、前記回動軸の固定部に固定される複数の摩擦シートと、前記回動軸の固定部に固定されるとともに前記固定部材に当接するワッシャーと、をさらに備え、前記第二連結部材は、前記複数の摩擦シートの間に挟持されることを特徴とする請求項１に記載のヒンジ装置。
【請求項７】
前記ヒンジ装置は、複数の弾性シートからなる弾性シートグループをさらに備え、前記弾性シートグループは、前記固定部に被せ且つ前記摩擦シートと前記ワッシャーとの間に挟持されることを特徴とする請求項６に記載のヒンジ装置。
【考案の詳細な説明】
【技術分野】
【０００１】
本考案は、ヒンジ装置に関するものである。
【背景技術】
【０００２】
ノート型パソコン、携帯電話などの携帯式電子装置において、ディスプレイ部を備えた蓋体と操作部を備えた本体はヒンジ装置によって開閉自在に枢着され、未使用時には前記蓋体と前記本体とを折り畳んで便利に携帯することができる。
【０００３】
前記ヒンジ装置は、それぞれ前記蓋体及び前記本体に固定される２つの連結部材を備える。前記２つの連結部材は回動軸によって相対回動自在に枢着するため、前記蓋体は前記本体に相対して回動できる。
【０００４】
しかし、前記電子装置を使う時、前記蓋体を前記本体に相対して横方向に移動させることを必要とするが、従来のヒンジ装置によって前記機能を実現することができない。
【考案の概要】
【考案が解決しようとする課題】
【０００５】
本考案の目的は、前記課題を解決し、軸方向に沿って移動できるヒンジ装置を提供することである。
【課題を解決するための手段】
【０００６】
前記目的を達成するため、本考案に係るヒンジ装置は、係合部を有する第一連結部材と、第二連結部材と、一端に固定部が設置される回動軸と、前記固定部の端部に固定される固定部材と、前記第二連結部材に固定されるスリーブと、を備え、前記固定部は前記第二連結部材に回動可能に取り付けられ、前記第一連結部材は軸方向に沿って移動可能に前記回動軸に連接され、前記スリーブに螺旋状のスライド溝が設置され、前記係合部は前記スライド溝にスライド可能に係合する。
【考案の効果】
【０００７】
本考案に係わるヒンジ装置において、第一連結部材の係合部は、スリーブの螺旋状のスライド溝にスライド可能に係合するため、第二連結部材が回動する時、前記係合部は前記スライド溝に沿ってスライドするとともに前記スリーブを前記第一連結部材から離れる方向へ推進し、前記第二連結部材及び回動軸も前記第一連結部材から離れる方向へ移動することにより、前記ヒンジ装置の軸方向の移動を実現する。
【図面の簡単な説明】
【０００８】
【図１】本考案の実施形態に係るヒンジ装置の分解図である。
【図２】図１に示すヒンジ装置の組立図である。
【図３】図１に示すヒンジ装置の別の方向から見た組立図であるである。
【図４】図１に示すヒンジ装置の使用状態図。
【考案を実施するための形態】
【０００９】
図１に示したように、本実施形態に係るヒンジ装置は、第一連結部材１０と、第二連結部材２０と、回動軸３０と、スリーブ４０と、複数の摩擦シート５０と、略Ｃ字状の係合リング６０と、弾性部材７０と、複数の弾性シートを含む弾性シートグループ８０と、ワッシャー８５と、固定部材９０と、を備える。本実施形態において、前記弾性部材７０は、スプリングである。前記第一連結部材１０及び前記第二連結部材２０は、相対回動する２つの部材に固定される。
【００１０】
前記第一連結部材１０は、ねじ又はリベットによって貫通される複数の固定孔１２０を有する固定板１２を備える。前記第一連結部材１０は、電子装置の本体に固定される。前記固定板１２の両側からそれぞれ第一連接板１６及び第二連接板１８が上に向かって垂直的に延在される。前記第一連接板１６には、略楕円形の貫通孔１６０が開設され、前記第二連接板１８には、前記第一連接板１６の貫通孔１６０に対応される貫通孔１８０が開設される。前記固定板１２における前記第二連接板１８の所在する片側から干渉板１２２が前記第一連接板１６から離れる方向へ水平的に延在され、前記干渉板１２２の端部が上に向かって斜めに延在して干渉部１４を形成し、前記干渉部１４の片側から係合部１４２が突出される。
【００１１】
前記第二連結部材２０は、ねじ又はリベットによって貫通される複数の固定孔２２０を有する連結部２２及び該連結部２２の片側から上に向かって垂直的に延在して形成されるロック部２１を備える。前記第二連結部材２０は、電子装置の蓋体に固定される。前記ロック部２１の先端には、円形の貫通孔２１２が開設されており、前記ロック部２１の前記貫通孔２１２の両側には、略方形の第一係合口２１０及び第二係合口２１３が対称的に開設される。
【００１２】
前記回動軸３０は、略楕円形の断面を有するロッド（図示せず）及び該ロッドの一端から延在して形成される固定部３４を備える。前記ロッドと前記固定部３４の連接部に段差が形成される。前記回動軸３０の前記固定部３４から離れている一端の周縁に係合溝３２が形成される。前記固定部３４も、略楕円形の断面を有し、その端部の外周壁にはねじ山が設けられる。
【００１３】
前記スリーブ４０は、中空のシリンダーであって、その周縁に螺旋状のスライド溝４２が形成される。前記スリーブ４０の一端には、２つの係合柱４４が対称的に形成されている。前記２つの係合柱４４の断面形状は、前記第二連結部材２０の第一係合口２１０及び第二係合口２１３の形状に対応される。
【００１４】
前記摩擦シート５０には、前記回動軸３０の固定部３４を貫かせる固定孔５２が開設される。
【００１５】
前記弾性シートグループ８０の各々の弾性シートには、全て前記回動軸３０の固定部３４を貫かせる貫通孔８２が開設される。
【００１６】
前記ワッシャー８５には、前記回動軸３０の固定部３４を貫かせる固定孔８６が開設される
【００１７】
前記固定部材９０は、ナットであって、前記回動軸３０の固定部３４に螺合できる。
【００１８】
図２及び図３を参照してください。前記ヒンジ装置を組み立てる時、先ず、前記回動軸３０の前記固定部３４から離れている一端が前記第一連結部材１０の貫通孔１８０、前記弾性部材７０、前記第一連結部材１０の他の貫通孔１６０を順次に貫いてから、前記係合リング６０を前記回動軸３０の係合溝３２に係合して、前記係合リング６０は前記第一連結部材１０の第一連接板１６に当接し、前記弾性部材７０の両端は別々に前記第一連結部材１０の第二連接板１８と前記係合リング６０に当接する。次に、前記回動軸３０の前記固定部３４が設置されている一端が前記スリーブ４０、一部分の摩擦シート５０の固定孔５２、前記第二連結部材２０の貫通孔２１２、他の一部分の摩擦シート５０の固定孔５２、前記弾性シートグループ８０の貫通孔８２及び前記ワッシャー８５の固定孔８６を貫いてから、前記固定部材９０を前記固定部３４のねじ山に螺合する。前記固定部材９０は、前記ワッシャー８５、前記弾性シートグループ８０、前記摩擦シート５０及び前記第二連結部材２０が前記固定部３４の末端から滑落しないようにする。
【００１９】
前記組立過程において、前記回動軸３０の固定部３４は、前記第二連結部材２０の貫通孔２１２を回動可能に貫くため、前記第二連結部材２０は、前記回動軸３０に相対して回動することができる。前記スリーブ４０の２つの係合柱４４は別々に前記第二連結部材２０の第一係合口２１０及び第二係合口２１３に係合するため、前記スリーブ４０は、前記第二連結部材２０に固定されて、前記第二連結部材２０が回動する時に連動される。前記第一連結部材１０の係合部１４２は、前記スリーブ４０のスライド溝４２にスライド可能に係合する。
【００２０】
図４に示したように、前記電子装置の蓋体が回動する時、前記第二連結部材２０及び前記スリーブ４０を連動して前記回動軸３０に相対して回動させる。前記第一連結部材１０の係合部１４２は、前記スリーブ４０のスライド溝４２に沿ってスライドするとともに前記スリーブ４０を前記第一連結部材１０から離れる方向へ推進するため、前記第二連結部材２０及び前記回動軸３０も前記第一連結部材１０から離れる方向へ移動することにより、前記電子装置の蓋体は、開いてしまうとともに前記電子装置の本体に相対して横方向へ移動する。前記係合リング６０は、前記回動軸３０に随って前記第一連接板１６から離れる方向へ運動するため、前記弾性部材７０を圧縮する。前記弾性シートグループ８０及び前記弾性部材７０の軸方向の変形力、前記弾性部材７０の反発力は、前記電子装置の蓋体を軸方向に沿って穏やかに移動させる。
【００２１】
前記第二連結部材２０を相反する方向へ回動する時、前記第一連結部材１０の係合部１４２は、前記スリーブ４０のスライド溝４２に沿ってスライドするとともに前記スリーブ４０を前記第一連結部材１０に近付かせるため、前記第二連結部材２０及び前記回動軸３０も前記第一連結部材１０に近付き、且つ前記弾性部材７０の弾性変形力が前記係合リング６０を推進するため、前記回動軸３０は前記第一連結部材１０の第一連接板１６に向かって移動して、前記電子装置の蓋体は前記本体に対してふせるように閉塞重合状態になる。
【００２２】
又、前記弾性シートグループ８０と前記摩擦シート５０との間にカム部及びカム係合部を設置して、前記電子装置の蓋体が本体に対して起伏開閉自在に設けることもできる。
【００２３】
以上本考案を実施例に基づいて具体的に説明したが、本考案は、上述の実施例に限定されるものではなく、その要旨を逸脱しない範囲において、種々変更可能であることは勿論であって、本考案の保護範囲は、以下の実用新案登録請求の範囲から決まる。
【符号の説明】
【００２４】
１０  第一連結部材
１２  固定板
１４  干渉部
１６  第一連接板
１８  第二連接板
２０  第二連結部材
２１  ロック部
２２  連結部
３０  回動軸
３２  係合溝
３４  固定部
４０  スリーブ
４２  スライド溝
４４  係合柱
５０  摩擦シート
５２，１２０，２２０  固定孔
６０  係合リング
７０  弾性部材
８０  弾性シートグループ
８２，８６，１６０，１８０，２１２  貫通孔
８５  ワッシャー
９０  固定部材
１２２  干渉板
１４２  係合部
２１０  第一係合口
２１３  第二係合口
【図１】
0003160083.tif 000003
【図２】
0003160083.tif 000004
【図３】
0003160083.tif 000005
【図４】
0003160083.tif 000006